Podtech/llm-jp-corpus-v4-ja_patent huggingface dataset:
(57)【要約】      （修正有）【課題】釣り人が魚をより釣れるようにし、その醍醐味である感覚と感触を増し、釣り人に一層の満足感と楽しみを与える釣竿を提供する。【解決手段】釣竿３−１の穂先の先端にジョイントを介してブラ下がり穂先３−２を取り付けた。ブラ下がり穂先３−２には少なくとも１個のラインガイド３−３を備え、釣り糸３−４を通して釣竿３−１の穂先と一体化させた。ブラ下がり穂先３−２は微妙なアタリに反応し、そのアタリを釣竿３−１の穂先とブラ下がり穂先３−２の相乗効果で容易に目視できる。【選択図】図３
0003221134.tif 000002
【実用新案登録請求の範囲】
【請求項１】
釣竿の穂先の先端に、ブラ下がり穂先をジョイントを介して取り付けてある事を特徴とする釣竿。
【請求項２】
前記ジョイントは、釣竿の穂先とブラ下がり穂先を連結し、ブラ下がり穂先は固定しないで自在に動けて、かつ交換可能とした請求項１記載の釣竿。
【請求項３】
前記ブラ下がり穂先には少なくとも１個のラインガイドを備え、釣り糸を通して釣竿の穂先と一体化させる事とする請求項１又は請求項２記載の釣竿。
【考案の詳細な説明】
【技術分野】
【０００１】本考案は、釣り人に魚のアタリが容易に目視でき、また釣れた時には、巻き上げの感覚と感触が大きくなり、釣り人に一層の満足感と楽しさを与える釣竿に関するものである。
【背景技術】
【０００２】魚釣りは、魚が餌をくわえた時に釣竿の穂先を下にさげる事により、アタリと称し、魚の活性が高い時には活発にアタリは有るが、活性が低くなると、釣り人の要求通りに魚は答えず釣竿の穂先を下げなくなり、アタリが遠のき、結果、釣り人の楽しみが減る。
【考案の概要】
【課題】
【０００３】アタリが目視により容易に判り、又釣れたときの感覚を一層楽しみたい。
【解決手段】
【０００４】釣竿の穂先（２−１）の先端にジョイント（連結部２−２）を設けそれにブラ下がり穂先（２−３）を図２のようにぶら下げた。それにより通常の魚のアタリは穂先を下にさげる力が魚に要求されるが（図１の１−１及び１−２）要求通りに魚は応じない。ブラ下がり穂先はぶら下がって居るだけなので（図２）仮に小さいアタリが有ったとして、穂先を下にさげる力が小さくてもブラ下がり穂先は微妙なアタリに反応し、そのアタリを釣竿の穂先とブラ下がり穂先の相乗効果で容易に目視でき、またそのアタリは釣り人にとり確実なものとなり、次のような方程式が出来上がる。魚のアタリが容易に目視できると、釣り人は合わせを多くでき、合わせが多くなれば釣れる魚も多くなり、また釣れた時には釣竿の穂先とブラ下がり穂先の相乗効果でダイナミックに穂先は振れ、大きく振れた穂先の感覚と感触により釣り人に一層の満足感と楽しさを与える事となる方程式であり、この事により上記課題の解決手段となるものである。
【０００５】図３のようにブラ下がり穂先（３−２）にラインガイドを取りつける時には、必ずガイドと釣り糸が接触し、釣り糸がガイドの中でフリーにならないようにする。よって、微妙なアタリがブラ下がり穂先に伝わりやすくなる。
【０００６】図４のようにブラ下がり穂先（４−２）の先端のガイド（４−４）を伸ばし、ブラ下がり穂先と釣り糸にジョイントを支点とした角度を持たせる。これにより穂先及びブラ下り穂先の振れがより大きくなり、釣り人の満足感が増す。しかし角度を大きくし過ぎると釣れた時に両方の穂先が暴れてしまうので、暴れない範囲の角度が好ましい。
【０００７】ブラ下がり穂先のジョイント部を知恵の輪の形態にしておき、ブラ下がり穂先が着脱可能にしておく、それによりブラ下がり穂先の交換が容易に成り、異なったアタリと巻き上げ時の感覚と感触が堪能できる、またブラ下がり穂先を取り付けなければ通常の釣竿としても使用できる。
【０００８】本考案の釣竿は、竿の穂先が振れる時にはブラ下がり穂先も振れているので、アタリが容易に目視出来る為に、このブラ下がり穂先を取り付けた釣竿は、釣竿の穂先から釣り糸を垂らし、錘と仕掛けをセットした魚釣りに供用できる。
【考案の効果】
【０００９】本考案の、ブラ下がり穂先は何の抵抗もなくぶら下がって居るだけなので、魚の微妙なアタリに反応し、と同時に竿の穂先も振れるので釣り人は目視で確実にアタリが良く判りよって釣果も増し、又魚が釣れ、巻き上げる時には二つの穂先が相まって振れるので、大きくなった感覚と感触により一層の満足感と楽しさを与える。
【図面の簡単な説明】
【００１０】
【図１】従来の釣竿を表している図
【図２】本考案に係るブラ下がり穂先の構成概略図
【図３】解決手段［０００５］に係る概略図
【図４】解決手段［０００６］に係る概略図
【符号の説明】
【００１１】１−１  釣竿
１−２  アタリ、穂先が下がることを示す
２−１  釣竿の穂先
２−２  ジョイント（連結部）
２−３  ブラ下がり穂先
３−１  釣竿
３−２  ブラ下がり穂先
３−３  ラインガイド
３−４  ライン（釣り糸）（リール  〜  錘と仕掛け）
４−１  釣竿
４−２  ブラ下がり穂先
４−３  ラインガイド
４−４  ジョイントを支点とした角度を持たせるために伸ばしたラインガイド
【図１】
0003221134.tif 000003
【図２】
0003221134.tif 000004
【図３】
0003221134.tif 000005
【図４】
0003221134.tif 000006
(57)【要約】      （修正有）【課題】ブロック塀の建造を回避して塀を軽量化すると共に、殺風景な街並みから緑や花のある潤いのある街へと変化させるスライド型組立式内部空洞の壁板塀を提供する。【解決手段】両端の内側に凹型にした金属枠３を設置したサイディングの壁板２を双方向に２枚立て、これらの間に両端の先端を凸型にした金属枠５を設置した接続板４をスライドして嵌め込み、接続板を止め具で連結して組み立てた壁板塀とし、内側の空洞の上部開口部９に箱型の植木鉢を嵌め込み花壇とする。【選択図】図１
0003221435.tif 000002
【実用新案登録請求の範囲】
【請求項１】
両端の内側に凹型の金属枠を設置したサイディングの壁板を双方向に２枚立て、これらの間に先端の外側に凸型の金属枠を設置したサイディングの接続板をスライドして嵌め込み、これらの接続版を止め具で連結して組立てた壁板塀とし、かつ、内側の空洞の上部開口部に箱型植木鉢を嵌め込み花壇とする、スライド型組立式内部空洞の壁板塀。
【考案の詳細な説明】
【技術分野】
【０００１】  本考案は、災害による重量塀の倒壊に伴う危険を回避するために軽量化した塀に関する。
【背景技術】
【０００２】  昨今の地震や台風等の災害の状況をみると、建物や塀の倒壊・崩落が起こり、尊い人命を失うことがある。塀にはいろいろな材質や工法があるが、この中でも、ブロックを材料として用いたものが一般的である。ブロックを強化するために鉄筋を入れてコンクリートで固めて組立てる塀が多い。その結果、塀が重量化するので、倒壊したときの損害は甚大となる。また、ブロック塀が立ち並ぶ街並みは殺風景な景観を醸し出すことになる。そこで、ブロック塀の建造を再考する必要がある。
【考案の開示】
【考案が解決しようとする課題】
【０００３】  本考案の解決しようとする問題点は、次の通りである。【０００４】  ブロック塀の建造を回避して塀を軽量化すると共に、殺風景な街並みから緑や花のある街、潤いのある街へと変化させることを目的とする。
【課題を解決するための手段】
【０００５】  本考案の解決する手段は、次の通りである。【０００６】  先ず、内側に凹型の金属枠（３）を設置したサイディングの壁板（２）を双方向に２枚立て、これらの間に両端の先端を凸型の金属枠（５）を設置したサイディングの接続板（４）をスライドさせて嵌め込み、これらの接続板（４）を止め具（６）で連結した、スライド型組立式内部空洞の壁板塀（１）である。
次に、内側の空洞の上部開口部（９）に箱型植木鉢（８）を嵌め込み花壇とする、スライド型組立式内部空洞の壁板塀（１）である。
【考案の効果】
【０００７】  本考案の効果は、次の通りである。【０００８】  先ず、このスライド式のサイディングの壁板塀（１）は軽量化されたものであるから、地震や台風等の災害による倒壊の危険を回避することができるし、また、倒壊しても、被害を最小限に止めることができる。
次に、この塀の空洞の上部開口部（９）を箱型の植木鉢（８）をもって嵌め込み花壇として、美しい街造りに貢献することができる。この塀は内部が空洞なので、郵便受け箱、収納棚、風穴などいろいろな設備を設置することができる。
【図面の簡単な説明】
【０００９】
【図１】  本考案に係るスライド型組立式壁板塀に関する分解図である。
【図２】  本考案に係る接続板を連結する止め具の図面である。
【図３】  本考案に係る箱型植木鉢の図面である。
【符号の説明】
【００１０】１  スライド型組立式壁板塀
２  壁板
３  凹型の金属枠
４  接続板
５  凸型の金属枠
６  止め具
７  芯棒とボルト・ナット
８  箱型植木鉢
９  上部開口部
【考案を実施するための形態】
【００１１】  本考案の実施の形態である。
【００１２】  本考案は、次のようなものから構成される。両端の内側に凹型の金属枠（３）を設置した横広のサイディングの壁板（２）、両端の外側に凸型の金属枠（３）を設置した横狭のサイディング板の接続板（４）、幅狭の板を連結するための止め具（６）、箱型の植木鉢（８）である。
一つは、壁板（２）であり、サイディングを素材として、両端の先端の内側に凹型の金属枠（３）を設置し、かつ、これを一定の間隔に区切って横に広く制作したスライド型の壁板塀（１）である。この間隔は、約１８０ｃｍ、約９０ｃｍ、４５ｃｍとする。
二つは、接続版（４）であり、サイディングを素材として、現地で向かい合わせて立てた２枚の壁板（２）の内側の凹型に対して、両端の先端に凸型の金属枠（３）を設置して横に狭く制作したものであって、この凸型部をスライドさせて壁板（２）の凹型部に嵌め込み、スライド型の壁板塀（１）を築造する。
三つは、止め具であり、このよう壁板（２）に嵌め込まれた状態の２枚の接続板（４）を両側から挟み込み連結するために、Ｕ字型に成型した鉄板をこの接続部分に芯棒を通して両側からボルトとナット（７）で締め付ける。
四つは、箱型植木鉢（８）であり、この塀の空洞化された内部の上部開口部（９）の位置に嵌め込み蓋とする。これは、花壇として、美しい街並みに整えることができる。更に、この塀（１）は内部を活用して、郵便受け箱、収納棚、風穴等を容易に設置することができる。
【図１】
0003221435.tif 000003
【図２】
0003221435.tif 000004
【図３】
0003221435.tif 000005
(57)【要約】      （修正有）【課題】取外し自在にして、履物、手袋、ペットボトルに取り付けて使用する紛失防止具を提供する。【解決手段】５０〜１００ｍｍの直径を有する伸縮性を有する輪３に、折り畳んだ状態の長さが８０〜１５０ｍｍである輪状の紐２の端部を取り付けた紛失防止具１であって、輪状の紐２に対象物を取り付けて、伸縮性を有する輪３を手首、秋首、カバンのフック等に取り付けて使用する。【選択図】図１
0003221426.tif 000002
【実用新案登録請求の範囲】
【請求項１】
伸縮性を有する輪に、輪状の紐の端部を取り付けた紛失防止具。
【請求項２】
５０〜１００ｍｍの直径を有する伸縮性の輪と、折り畳んだ状態の長さが８０〜１５０ｍｍの輪状の紐とを有する請求項１の紛失防止具。
【考案の詳細な説明】
【技術分野】
【０００１】  本考案は主に手袋、ペットボトル、サンダル、靴等の履物に取付けられて使用される紛失防止具に関する。
【背景技術】
【０００２】  紛失防止具は、履物に接着固定されるシールと、このシールに取付けられた足首に取付けられる伸縮可能な止め輪とで履物の紛失を防止している。また、帯紐状のアームの両端にリストバンドと手袋内側の手首部を縫合結合してリストバンドと手袋を一体化せしめる。
【先行技術文献】
【特許文献】
【０００３】
【特許文献１】実開平８−４４４
【特許文献２】特開２０１８−５９２５０
【考案の概要】
【考案が解決しようとする課題】
【０００５】  従来の紛失防止具は何れも対象物にマジックテープ等により貼り付けて対象物と一体化して使用しているので、紛失防止具を対象物から取外して使用することが難しい。【０００６】  本考案は以上のような点を鑑み、紛失防止具を取外しに自在にして履物、手袋、ペットボトルに取り付けて使用することを目的とする。
【課題を解決するための手段】
【０００７】  本考案は、伸縮性を有する輪に、輪状の紐の端部を取り付けた紛失防止具である。【０００８】  本考案は、５０〜１００ｍｍの直径を有する伸縮性の輪と、折り畳んだ状態の長さが８０〜１５０ｍｍの輪状の紐とを有する請求項１の紛失防止具である。
【考案の効果】
【０００９】  手袋、ペットボトル、サンダル等にループを通すと、手首や足首に取り付けられる伸縮可能な止め輪として構成されている。手袋、ペットボトル、サンダル等に取付け、使用時に止め輪の手首や足首に取付けることにより、手袋、ペットボトル、サンダル等が手や足から外れても、脱落するのを防止することができる。従って、手袋、ペットボトル、サンダル等を紛失したり、取るのに苦労したりするのを効率よく防止することが出来る。【００１０】  止め輪にネームのデザインを入れたり、オリジナル性を出し、個人分別が出来たりデザインによりファッション性を高めることが出来、楽しく使用することができる。【００１１】  市販されている手袋、ペットボトル、サンダルに取付けて使用できるので一つあれば、色々な使用方法がある。構造が簡単であるので安価で容易に製造することが出来るとともに楽に使用することができる。【００１２】  手袋、ペットボトル、サンダルから外れた時でも、このベルトによって手首や足首にぶら下がっている状態となり紛失することがなく、かがんで拾う手間も省ける。また、このバンドは邪魔にならず不要な時には容易に取り外すことができ、コンパクトに収納できるため、携帯にも便利である。
【図面の簡単な説明】
【００１３】
【図１】本考案の紛失防止具の斜視図である。
【図２】本考案の紛失防止具の紐を閉じた状態の斜視図である。
【図３】本考案の紛失防止具を手袋につけた図である。
【図４】本考案の紛失防止具を履物につけた図である。
【図５】本考案の紛失防止具をペットボトルにつけた図である。
【考案を実施するための形態】
【００１４】  以下、図面に示す実施例により、本考案の詳細に説明する。
【００１５】  図１において、１は紛失防止具である。２は輪状の紐、３は伸縮性を有する輪である。図１に示すように伸縮性を有する輪３の一部に輪状の紐２が取り付けられている。
【００１６】  図２に示すように輪状の紐２を閉じた状態にし、紐２の端部２ａから図３の手袋４の引っ掛け輪部５に紐２の端部２ａを通す。通した後、紐２を輪状に開き、その中に輪３を通し、伸縮性を有する輪３を腕に取り付けると図３に示すように手袋４に紛失防止具１が取り付けられた状態になる。
【００１７】  図２に示すように輪状の紐２を閉じた状態にし、紐２の端部２ａから図４のサンダル６の鼻緒７に潜らして紐２を輪状に開き、その中に輪３を通し、伸縮性を有する輪３を足首に取り付けると図４に示すようにサンダル６に紛失防止具１が取り付けられた状態になる。
【００１８】  図２に示すように輪状の紐２を閉じた状態にし、紐２をペットボトル８の呑口部９の周囲に巻付けて紐２の端部２ａを開き、その中に輪３を通して締め付けると、ペットボトルの呑口部９に紐２が巻付いた状態になる。伸縮性を有する輪３をカバン１０のファスナーのフック１１に取り付けると図５に示すようにペットボトル８に紛失防止具１が取り付けられた状態になる。
【００１９】  以上のように、輪状の紐２を手袋４、サンダル６、ペットボトル８等のいろいろな物に取り付けて。伸縮性を有する輪３を手首、足首、カバン１０のフック１１に取り付けることでいろいろな物の紛失防止することができる。
【００２０】  伸縮性を有する輪３は手首、足首に取り付けることができる大きさで、縮んだ状態で直径は５０ｍｍ〜１００ｍｍである。直径が５０ｍｍより小さいと手足に取り付けたとき手首、足首を締付けられる。１００ｍｍより大きいと手首、足首の小さい人は外れる。輪状の紐２は折り畳んだ状態の長さが８０ｍｍ〜１５０ｍｍである。８０ｍｍより小さいと物に取り付け難い、１５０ｍｍより大きいと紐２がダブつく感じになる。
【符号の説明】
【００２１】    １  紛失防止具
２  輪状の紐
３  輪
４  手袋
５  輪部
６  サンダル
７  鼻緒
８  ペットボトル
９  呑口部
１０  カバン
１１  フック
【図１】
0003221426.tif 000003
【図２】
0003221426.tif 000004
【図３】
0003221426.tif 000005
【図４】
0003221426.tif 000006
【図５】
0003221426.tif 000007
(57)【要約】      （修正有）【課題】高視認性安全服及び空調服などの衣服を着用する際、輻射熱等の軽減を図る輻射熱反射シートを提供する。【解決手段】アルミニウム素材からなる遮熱シートと不織布で挟みこまれているシリカシートを積層した輻射熱反射シートｅを高視認ベストａなどの衣服裏側部分に着脱可能に装着することにより、衣服内への輻射熱の侵入を防ぐようにした。【選択図】図４
0003221422.tif 000002
【実用新案登録請求の範囲】
【請求項１】
衣服の裏側に装着する輻射熱反射シートであって、当核輻射熱反射シートは、アルミニウム素材からなる遮熱シートとシリカシートとを積層したことを特徴とする輻射熱反射シート。
【請求項２】
前記シリカシートは、不織布で挟みこまれていることを特徴とする請求項１記載の輻射熱反射シート。
【請求項３】
前記の輻射熱反射シートは、前記衣服の裏側に接する面にニット生地を貼りつけたことを特徴とする、請求項１又は請求項２記載の輻射熱反射シート。
【考案の詳細な説明】
【技術分野】
【０００１】  本考案は、空調服や高視認性安全服などの衣服の裏側（内側）に取り付け、体の温度上昇を抑制する輻射熱反射シートに関するものである。
【背景技術】
【０００２】  従来の空調服は、服に付けた小型ファンで服の中に外気を取り入れ、体の表面に大量の風を流すことにより汗を気化させる物で有った。また、高視認性安全服（通称：反射ベスト）は、生地をメッシュ地とすることで、風通しが良くし、体の表面温度の上昇を抑制するようにしていた。
【先行技術文献】
【０００３】
【特許文献１】特許６２７８３７３号
【考案の概要】
【考案が解決しようとする課題】
【０００４】  従来の空調服は、小型ファンで服の中に外気を取り入れて、汗を気化させることで体温を落としていたが、外気温度が３５℃を超えると、体温とほぼ同じになり汗を気化させ体温を下げる効果が低下する。
又、空調服や作業服の上に着る高視認性安全服は、メッシュの生地を使用しているが風通しが良くても輻射熱を直接、背中などの体に受けてしまう物であった。
本考案は、前記の欠点に鑑みなされたもので、空調服・高視認性安全服などの衣服の裏側（内側）に、着脱可能に装着することにより、外気温による体温への影響を防止できるようにした、輻射熱反射シートを提供することを目的とする。
【課題を解決するための手段】
【０００５】  本考案の目的を達成するため、本考案のうち請求項１に記載の考案は、衣服の裏側に装着する輻射熱反射シートであって、当該輻射熱反射シートは、アルミニウム素材からなる遮熱シートとシリカシートとを積層した輻射熱反射シートであることを特徴とする。【０００６】  また、請求項２に記載の考案は、前記シリカシートは、不織布で挟みこまれている輻射熱反射シートであることを特徴とする。【０００７】  さらに請求項３に記載の考案は、前記輻射熱反射シートは、前記衣服の裏側に接する面にニット生地を貼りつけた輻射熱反射シートであることを特徴とする。
【考案の効果】
【０００８】  本考案のうち請求項１に記載の考案によれば、作業服等の衣服の裏側（内側）に装着することで、輻射熱を反射させ外部からの熱の遮断が可能になり外気温度による体の背中部分への負担が軽減できる効果がある。【０００９】  また、遮熱シートと積層したシリカシートで汗などによる臭いを防止すると共に湿度を減少させることができ、生理的にも着用者の負担を軽減できる効果がある。【００１０】  また請求項２に記載の考案によれば、請求項１に記載の効果に加え、輻射熱反射シートのシリカシートは、不織布でビーズ状のシリカを挟み込む構造のため、ビーズ状のシリカがこぼれ落ちることがない効果がある。【００１１】  さらに請求項３に記載の考案によれば、請求項１又は請求項２に記載の効果に加え、輻射熱反射シートは、衣服の裏側に接する面にニット生地を貼りつけたのでさらに湿度を減少させることができる効果がある。
【図面の簡単な説明】
【００１２】
【図１】本考案に係わる輻射熱反射シートを装着する衣服の一例として示した高視認性安全服の例を示す。
【図２】図１の高視認性安全服を裏返しにした状態を示す。
【図３】本考案に係わる輻射熱反射シートの実施例を示す。
【図４】図３の輻射熱反射シートを図１の高視認性安全服の背中部分の裏側に取り付けた状態を示す。
【図５】図３に示す輻射熱反射シートのＸ―Ｘ’の断面を示す。
【考案を実施するための形態】
【実施例】
【００１３】  図１は本考案に係わる輻射熱反射シートを、装着する衣服の一例として示した高視認性安全服の例であり、ａは高視認性安全服を表し、ｂは再帰性反射材、ｃはファスナを示す。【００１４】  図２は高視認性安全服ａを裏返しにした状態を表し、ｄはメッシュ生地を示す。【００１５】  図３は、高視認性安全服ａに装着できる様に裁断された本考案に係わる輻射熱反射シートｅの実施例を表す。【００１５】  図４は高視認性安全服ａの裏側に輻射熱反射シートｅを肩の部分に両面ファスナ、ボタンや両面テープなどで取り付けた状態を示す。【００１７】  図５は輻射熱反射シートｅのＸ―Ｘ’の断面図である。輻射熱反射シートｅは、アルミニウム素材の遮熱シートｉと不織布ｊで挟み込まれたシリカシートｈの各シートを積層してなり、さらに体に接触する側の表面シート状の吸汗・蒸散機能を持ったニット素材ｆを貼りつけた構造である。この輻射熱反射シートｅの全体の厚さは１．６ｍｍ程度である。【００１８】  図５のｉは、４層のアルミニウムシートを示し、輻射熱を反射する事が出来る、アルミニウムシートを４層とすることでしなやかさと強度を確保する事ができる。【００１９】  図５のｈは臭いと湿気を吸収するビーズ状のシリカを含むシリカシートであり、ｊはシリカシートｈを固定する不織布である。これによりビーズ状のシリカの脱落を防止すると共に、臭いの防止と湿度を減少させることができる。【００２０】  図５のｆは吸汗・蒸散機能を持つニット生地を示し、これによりさらに湿度を減少させることが出来る。【００２１】  表１は高視認性安全服の裏側に本考案の図３に示す輻射熱反射シートを取り付け、高視認性安全服を装着した作業服の内側の温度を測定した結果である。輻射熱反射シートを取り付けた方は、温度を大幅に抑えることができている。
【表１】
0003221422.tif 000003
【符号の説明】
【００２２】ａ  高視認性安全服
ｂ  再帰性反射材
ｃ  ファスナー
ｄ  メッシュ生地
ｅ  輻射熱反射シート
ｆ  ニット生地
ｊ  不織布
ｈ  シリカシート
ｉ  遮熱シート
【図１】
0003221422.tif 000004
【図２】
0003221422.tif 000005
【図３】
0003221422.tif 000006
【図４】
0003221422.tif 000007
【図５】
0003221422.tif 000008
(57)【要約】【課題】異なる素材の下着をたくさん重ね着しなくとも、例えば廃毒や保温等の効果を呈することができるニット製の下着を提供すること。【解決手段】ニット製のスパッツ１において内側と外側が異なる２種類の糸、例えばウールとシルクの２種類の毛糸を素材としてプレーティング編地とするようにした。これによって、異なる２種類の糸のニット製の下着が１枚の編地の表裏面を構成することとなって、複数の下着を何枚も重ね着する必要がなくなる。【選択図】図１
0003221442.tif 000002
【実用新案登録請求の範囲】
【請求項１】
内側と外側が異なる２種類の糸で編まれたプレーティング編地となっていることを特徴とするニット製の下着。
【請求項２】
前記２種類の糸の組み合わせはシルクと綿、シルクとウール、シルクとリネンのいずれかであって、シルクが内側面を構成することを特徴とする請求項１に記載のニット製の下着。
【考案の詳細な説明】
【技術分野】
【０００１】
本考案は、ニット製の下着に関するものである。
【背景技術】
【０００２】
体から吸い上げられた不要成分を速やかに排出する（廃毒）するために、例えば綿と麻のように異なる種類の糸で編んだニット製の下着（例えば、シャツ、パンツ、スパッツ、靴下等）を交互に重ねて履くことがある。また、効果的に保温するために異なる種類の糸で編んだニット製の下着、例えばウールとシルクの下着を交互に重ね着することがあった。従来の下着の一例として特許文献１を示す。
【先行技術文献】
【特許文献】
【０００３】
【特許文献１】特開２０１５ー２０９６１２号公報
【考案の概要】
【考案が解決しようとする課題】
【０００４】
しかし、幾重にも重ね着するのは面倒であり、かつ複数の下着で嵩張ってしまう。
【課題を解決するための手段】
【０００５】
上記の目的を達成するための第１の手段として、ニット製の下着において内側と外側が異なる２種類の糸で編まれたプレーティング編地となっているようにした。
これによって、異なる２種類の糸のニット製の下着が１枚の編地の表裏面を構成することとなって、複数の下着を重ね着する必要がなくなる。また、重ね着する際の下着の枚数を減らすことができる。
また、第２の手段として、前記２種類の糸の組み合わせはシルクと綿、シルクとウール、シルクとリネンのいずれかであって、シルクが内側面を構成するようにした。
シルクは廃毒の際に綿やリネンと一緒に用いる場合でも、保温のためにウールと一緒に用いる場合でも、常に肌に接する側にあることが効果が高いからである。
【０００６】
「ニット製の下着」であるため、編んである、あるいは編み物のように織っている素材である。下着としては、例えば靴下、シャツ、パンツ、スパッツ等である。素材としては、例えば、綿、ウール、リネン等の天然繊維でも、アクリル等の化繊でもよく、それらを単独あるいは組み合わせて使用することも可能である。
「プレーティング」とは、２種類の編糸を表裏に同時に編む編み上げ法であり、それで編まれた編地をプレーティング編地という。表裏に異なる素材が配置されるように適宜編み機を調整する。
【考案の効果】
【０００７】
本考案によれば、異なる２種類の糸のニット製の下着が１枚の編地の表裏面を構成することとなって、複数の下着を何枚も重ね着する必要がなくなる。
【図面の簡単な説明】
【０００８】
【図１】実施の形態１の腹巻きの平面図。
【図２】ニットの構成を説明する拡大説明図。
【考案を実施するための形態】
【０００９】
以下、本考案の実施の形態であるニット製の下着の一例について図面に基づいて説明する。
図１に示すように、ニット製の下着であるスパッツ１はウールとシルクの２種類の毛糸を素材として横編み機で編まれたメリヤスからなるニット製品である。スパッツ１はプレーティングで編まれたプレーティング編地からなる。スパッツ１の外面はウール面とされ、内面はシルク面とされている。スパッツ１の上部は腰回りを包囲する筒状の第１包囲部２とされ、第１包囲部２の下方は両足を包囲する２つに分岐した筒状の第２包囲部３とされている。第１包囲部２の上端側は折り返されて編地が二重とされ、第２包囲部３の下端、つまり裾付近は補強のためにリブ編みされている。スパッツ１はニット製品であるため上側左右下や左右方向に自在に伸縮性を有している。
スパッツ１は平置き状態で上下長さ約９２０ｍｍ、第１包囲部２の左右幅約２３５ｍｍ、第２包囲部３のみの長さ約６００ｍｍとされている。
【００１０】
このようなスパッツ１の編み上げ手段について図３に基づいて説明する。
腹巻き１は公知の横編み機によって丸編みの螺旋状に連続したループによって円筒状の編み生地をニット体として自動的に編み上げられていく。横編み機ではキャリッジを左右に動かすことによって糸を引き出しながら針やシンカー等の編み機構を作動させ編地を編んでいく。図３に示すように、ニットは基本的にループ状に引き出された糸に対して次の糸をループ状に絡めて編地の横方向（ウェール方向）と縦方向（コース方向）に延伸させていって編地を構築していく。このとき、ウールとシルクの２種類の編糸を同時に引きだして編むことで表裏に主として露出する糸を編み分けることができる。これがプレーティングである。図３では白抜きをウールの編糸、黒塗りをシルクの編糸を示す。表面側にウールの編糸が、裏面側にシルクの編糸が配置されるように適宜編み機を調整して編んでいく。
このような構成の、スパッツ１では、肌触りのよいシルクを内側として保温性の高いウールを外側に配置した編地を一枚のニットで実現することができる。
【００１１】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・素材や、形状やサイズは上記は一例であるので他の素材や形状のニット製の下着に適用することは自由である。例えば、靴下、シャツ、パンツ、腹巻き等に適用することも可能である。
・プレーティングで使用する２本の糸はウールとシルク以外の組み合わせ、例えば綿とリネン、綿とシルク、綿と化繊のようにしてもよい。
・カイロのような保温材を収容するポケットをスパッツ１の側面に同時編みで形成するようにしてもよい。
本考案は上述した実施の形態に記載の構成に限定されない。上述した各実施の形態や変形例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または特許出願への変更等において権利取得する意思を有する。
【符号の説明】
【００１２】
１…ニット製の下着であるスパッツ、２…プレーティング編地を構成する第１包囲部、３…プレーティング編地を構成する第２包囲部。
【図１】
0003221442.tif 000003
【図２】
0003221442.tif 000004
(57)【要約】      （修正有）【課題】身に付け、汗をかいた後に直ちに切り替えれば、服を着替えるようにさっぱりすることができる汗取りユニットを提供する。【解決手段】汗取りユニットは汗取り布１０、面ファスナー組成物を含む。面ファスナー組成物は二組の面ファスナー組２０から構成され、面ファスナー上組２１及び面ファスナー下組２２に分けられる。面ファスナー上組は汗取り布の上に設けられ、面ファスナー下組は服の内側の汗取り部位に設けられる。脇の下によく汗をかいて異臭があり、さらに腋臭がある人に対しては、汗取り布の上に汗取り液又は異臭治療効能がある成分を塗れば、一日中薬を貼って汗を取る上で異臭を取り除くという効果を果たすことができる。背中によく汗をかいている人に対しては、出かける時にいくつかの汗取り布を身に付けて、直ちに切り替えれば、体の上はいつでもさっぱりする。【選択図】図１
0003221481.tif 000002
【実用新案登録請求の範囲】
【請求項１】
汗取り布、面ファスナー組成物を含み、前記面ファスナー組成物は二組の面ファスナー組から構成され、面ファスナー上組及び面ファスナー下組に分けられ、前記面ファスナー上組は汗取り布の上に設けられ、面ファスナー下組は汗取り部位に設けられることを特徴とする汗取りユニット。
【請求項２】
前記面ファスナー組の上に底布が設けられ、前記底布の上に雄表面及び雌表面が設けられることを特徴とする請求項１に記載の汗取りユニット。
【請求項３】
前記汗取り布の上に汗取り液又は異臭治療効能がある成分を含むことを特徴とする請求項１に記載の汗取りユニット。
【考案の詳細な説明】
【技術分野】
【０００１】
本実用新案は個人衛生用品に関し、さらに具体的に、汗取りユニットに関する。
【背景技術】
【０００２】
暑い夏又は高温地区で生活している人々はよく汗をかき、体がべたべたする感じがする。特に長時間の戸外作業をしている人又は暑い日に出かけて仕事をする人に対して、彼らの服の背中部分に汗をかいた後、風に吹かれると乾いて湿ったり、湿って乾いたりし、不快である上に風邪をひきやすいが、外で多くの服を着替えることができない。
【考案の概要】
【考案が解決しようとする課題】
【０００３】
本実用新案の解決しようとする技術的問題は、従来技術の欠陥に対して、汗取りユニットを提供し、出かけて外にいれば汗取りユニットを身に付け、汗をかいた後に汗取りユニットを直ちに切り替えれば、服を着替えるようにさっぱりすることができることである。
【課題を解決するための手段】
【０００４】
本実用新案がその技術的問題を解決する時に用いられる技術的解決手段は、汗取りユニットを構成し、汗取り布、面ファスナー組成物を含み、前記面ファスナー組成物が二組の面ファスナー組から構成され、面ファスナー上組及び面ファスナー下組に分けられ、前記面ファスナー上組が汗取り布の上に設けられ、面ファスナー下組が汗取り部位に設けられることである。
【０００５】
本実用新案の前記汗取りユニットにおいて、前記面ファスナー組の上に底布が設けられ、前記底布の上に雄表面及び雌表面が設けられる。また、本実用新案の前記汗取りユニットにおいて、前記汗取り布の上に汗取り液又は異臭治療効能がある成分を含む。
【考案の効果】
【０００６】
本実用新案の汗取りユニットを実施すれば、本実用新案の前記面ファスナー底布の上に雄表面及び雌表面が設けられ、作用は汗取り布を利用しない時に汗取り部位の雄表面及び雌表面を一つに合わせれば、汗取り部位はざらざらせず、他の服と一緒に洗う時に摩耗しない。汗取りユニットは服内側の脇の下の位置に設けられてもよいし、服内側の背中の位置に設けられてもよい。
【０００７】
脇の下によく汗をかいて異臭があり、さらに腋臭がある人に対して、汗取り布の上に汗取り液又は異臭治療効能がある成分を塗れば、一日中薬を貼って汗を取る上で異臭を取り除くという効果を果たすことができる。背中によく汗をかいている人に対して、出かける時にいくつの前記汗取り布を身に付けて、直ちに切り替えれば、体の上はいつでもさっぱりするという有益な効果を有する。
【図面の簡単な説明】
【０００８】
【図１】本実用新案の汗取りユニットの構造概略図である。
【図２】本実用新案の服の上にある面ファスナー下組のオープン概略図である。
【図３】本実用新案の服の上にある面ファスナー下組のクローズ概略図である。
【図４】本実用新案の汗取りユニットの利用状態概略図である。
【考案を実施するための形態】
【０００９】
本実用新案の目的、技術的解決手段及び利点をよりはっきりさせるために、次に図面及び実施例に合わせて、本実用新案をさらに詳細に説明する。理解すべきことに、ここで説明される具体的な実施例は本実用新案を解釈するのみに用いられ、本実用新案を限定することではない。
【００１０】
図１に示すように、前記汗取りユニット１００は汗取り布１０、面ファスナー組成物を含む。前記面ファスナー組成物は二組の面ファスナー組２０から構成され、面ファスナー上組２１及び面ファスナー下組２２に分けられる。前記面ファスナー上組２１は汗取り布１０の上に設けられ、面ファスナー下組２２は汗取り部位に設けられる。
【００１１】
前記面ファスナー組２０の上に底布２３が設けられ、前記底布２３の上に雄表面２４及び雌表面２５が設けられる。前記汗取り布１０はタオルであってもよく、ハンカチなどの他の汗を取りやすい物品であってもよい。前記底部２３は汗取り布１０又は服２００と同様の生布であってもよい。
【００１２】
さらに、前記面ファスナー上組２１は汗取り布１０の上に縫われ、面ファスナー下組２２の中軸線は、服２００内側の脇下端又は背中などの汗をかきやすい部位に縫われる。前記面ファスナー上組２１の雄表面２４と雌表面２５は、面ファスナー下組２２の雌表面２５と雄表面２４と一体に貼り合わせれば、汗取り布１０は服２００上の内側の汗をかく部位に吸着され、汗をかいた後に汗取り布１０を直ちに切り替えれば、体がさっぱりし、服２００は湿らない。
【００１３】
汗取り布１０を利用しない時、面ファスナー下組２２の雌表面２５は雄表面２４と一体に貼り合わせて服を着れば、普通の服を着るように、ざらざらせず、面ファスナーの存在を感じない。服を洗う時に面ファスナーは摩耗しにくく、他の服を損傷しない。
【００１４】
さらに、前記汗取り布１０の上に汗取り液又は異臭治療効能がある成分を含む。脇の下によく汗をかいて異臭があり、さらに腋臭がある人に対して、本実用新案の異臭治療効能がある成分を含む汗取り布を利用すれば、一日中薬を貼って汗を取る上で異臭を取り除くという効果を果たす。
【００１５】
以上の実施例を介して本実用新案を開示するが、本実用新案の保護範囲はこれだけに限らず、本実用新案の構想を逸脱しない条件下で、以上の各部分に対して行われた修正、置換などはいずれも本実用新案の請求項範囲に含まれる。
【図１】
0003221481.tif 000003
【図２】
0003221481.tif 000004
【図３】
0003221481.tif 000005
【図４】
0003221481.tif 000006
(57)【要約】      （修正有）【課題】天然素材を濾過材として用い、スギ花粉やＰＭ２．５などの有害微粒子を効果的に除去出来る人体や環境にやさしい手軽な健康マスクを提供する。【解決手段】通気性を有するマスク本体１の裏面側に、少なくとも装用者の鼻と口とを覆うことが出来る寸法の不織布からなる袋体２を固定し、該袋体２内にヨモギの葉裏の繊毛を精製したもぐさ３を収容した。【選択図】図１
0003221485.tif 000002
【実用新案登録請求の範囲】
【請求項１】
通気性を有するマスク本体の裏面側に、少なくとも装用者の鼻と口とを覆うことが出来る寸法の不織布からなる袋体を固定し、該袋体内にヨモギの葉裏の繊毛を精製したもぐさを収容したことを特徴とする健康マスク。
【考案の詳細な説明】
【技術分野】
【０００１】
この考案は健康マスク、詳しくは鼻及び口を覆う様に顔面に装着して、空気中に浮遊するスギ花粉やＰＭ２．５などの有害微粒子の呼吸器へ侵入を効果的に阻止する健康マスクに関するものである。
【背景技術】
【０００２】
風邪対策や防寒・保湿あるいはスギ花粉やＰＭ２．５などの有害微粒子の気管支や肺などの呼吸器内への侵入を阻止の為には、ガーゼや不織布を素材とした健康マスクが広く用いられている。
【先行技術文献】
【特許文献】
【０００３】
【特許文献１】なし
【非特許文献】
【０００４】
【非特許文献１】なし
【考案の概要】
【考案が解決しようとする課題】
【０００５】
これらの健康マスクでは、マスク本体の裏面に微粒子を捕集する為のフィルターを取り付けたり、マスク本体自体にフィルターの機能を持たせ、これによって上記目的を達成しようとしている。しかしながら、スギ花粉やＰＭ２．５などの有害微粒子を効果的に捕集出来る手軽な一般用の健康フィルターはあまり見当たらず、これら有害微粒子の飛散が多い季節は、多くの人々がその被害に苦しんでいる。
【０００６】
本考案者は、スギ花粉やＰＭ２．５などの厄介な有害微粒子の呼吸器内への侵入を効果的に阻止出来る手軽な健康マスクを実現すべく鋭意研究を行った結果、今まで濾過材として着目されていなかった天然素材を用いた画期的な健康マスクを開発することに成功し、ここに提案するものである。
【課題を解決するための手段】
【０００７】
通気性を有するマスク本体の裏面側に、少なくとも装用者の鼻と口とを覆うことが出来る寸法の不織布からなる袋体を固定し、該袋体内にヨモギの葉裏の繊毛を精製したもぐさを収容して健康マスクを構成することにより、上記課題を解決した。
【考案の効果】
【０００８】
マスク本体の裏面側の袋体が鼻及び口に接する様にして使用に供するものであり、装用者の呼吸に伴いマスク本体内に外気が吸い込まれると、外気中に含まれているスギ花粉やＰＭ２．５などの有害微粒子は袋体内に収容されているもぐさの繊毛に吸着され、これら有害微粒子が除去された清浄な空気だけが装用者の鼻及び口に達することになる。従って、この健康マスクを装用することにより、肺や気管支などの呼吸器内への有害微粒子の侵入を効果的に阻止することが出来る。
【０００９】
又、濾過材として用いられているもぐさは天然素材であり、その薬効は古くから知られており、身体にやさしく、アレルギー反応をおこすおそれも極めて少なく、廃棄する際に環境を汚染することもなく、再利用として灸用に転用することも可能で、高い安全性や環境適合性あるいは汎用性を有している。
【図面の簡単な説明】
【００１０】
【図１】この考案に係る健康マスクの一実施例の裏面側から見た斜視図。
【図２】この健康マスクの作用を説明する為、模式的に描いたその使用状態の説明図。
【考案を実施するための形態】
【００１１】
スギ花粉やＰＭ２．５  などの有害微粒子を捕集する濾過材として、天然素材であるもぐさを用いた点に最大の特徴が存する。
【実施例】
【００１２】
図中１はこの考案に係る健康マスクの一実施例の裏面側から見た斜視図である。
図中、１はマスク本体であり、不織布やガーゼなどを素材としており、このマスク本体１は従来から存在する一般的な健康マスクと基本的に同じである。
そして、このマスク本体１の裏面側には、少なくとも装用者の鼻と口を覆うことが出来る寸法の通気性を有する不織布製の袋体２が固定されており、この袋体２内には、ヨモギの葉裏の繊毛を精製したもぐさ３が濾過材として収容されている。
【００１３】
この実施例は上記の通りの構成を有するものであり、図２に示す様に、マスク本体１の裏面側の袋体２が装用者４の鼻及び口に接する様にして使用に供するものであり、装用者４の呼吸に伴いマスク本体１内に外気５が吸い込まれると、外気５中に含まれているスギ花粉やＰＭ２．５などの有害微粒子は袋体２内に収容されているもぐさ３の繊毛に吸着され、これら有害微粒子が除去された清浄な空気６だけが装用者４の鼻及び口に達することになる。従って、この健康マスクを装用することにより、肺や気管支などの呼吸器内への有害微粒子の侵入を効果的に阻止することが出来る。
【００１４】
又、濾過材として用いられているもぐさ３は天然素材であり、その効果は古くから知られており、からだにやさしく、アレルギー反応をおこすおそれも極めて小さく、廃棄する際に環境を汚染することもなく、再利用として灸用に転用することも可能で、安全性や環境適合性あるいは汎用性を有している。
【産業上の利用可能性】
【００１５】
家庭用としてだけではなく、業務用や産業用としても、もちろん利用可能である。
【符号の説明】
【００１６】
１．マスク本体
２．袋体
３．よもぎ
４．装用者
５．外気
６．清浄な空気
【図１】
0003221485.tif 000003
【図２】
0003221485.tif 000004
(57)【要約】      （修正有）【課題】発光効率の改善と小型化を実現するスペーサー付きＬＥＤエッジライトを提供する。【解決手段】ＬＥＤエッジライトのＬＥＤ１とＬＥＤ１の間にＬＥＤ１より高いスペーサー２を設けて、外圧をスペーサー２で受けることによりＬＥＤ１の破損を防止するもので、一定の高さのスペーサー２を連続して配置することで、導光板４の長い側面にも安定して対応が可能である。ＬＥＤ１の高さは０．５ｍｍ程度であり、スペーサー２の高さを１ｍｍとしても、エッジライト全体に複数で取り付けることで、ＬＥＤ１と導光板４の間隔を０．５ｍｍまで近づけることが出来る。【選択図】図３
0003221484.tif 000002
【実用新案登録請求の範囲】
【請求項１】
細幅のプリント基板に複数のＬＥＤを配置してハンダ付けしたＬＥＤエッジライトにおいて、ＬＥＤとＬＥＤの間にＬＥＤの高さより高いスペーサーを取り付けた、スペーサー付きＬＥＤエッジライト。
【請求項２】
ＬＥＤエッジライトにおいて、ＬＥＤの高さより高いスペーサーを設けた前記スペーサーは、ＬＥＤの幅より広い幅のスペーサーを設けた、請求項１記載のスペーサー付きＬＥＤエッジライト。
【考案の詳細な説明】
【技術分野】
【０００１】
本考案は、発光板を製作するための省エネルギー技術である。
【背景技術】
【０００２】
近年の急速なＬＥＤ技術の発展によるものである、発光効率の改善と小型化が進み狭い箇所に取り付けるエッジライトには最も有利に活用しやすいＬＥＤが実現できた。
【０００３】
アクリル製導光板は、従来は５ｍｍ程度の厚さが必要であったが、小型軽量化のニーズが高まり、３ｍｍ厚、２ｍｍ厚の導光板が求められるようになり、その場合のエッジライトの取り付け方も工夫が必要となり、今回の考案となった。
【先行技術文献】
【特許文献】
【０００４】
【特許文献１】特開  ２０１７−１７５１２４  ＬＥＤエッジライト用のフレキシブル基板
【考案の概要】
【考案が解決しようとする課題】
【０００５】
アクリル製導光板の側面にＬＥＤエッジライトを取り付けて使用する時、導光板の重量がＬＥＤに直接あたると、ＬＥＤが外圧により破損することがあり、その対策が求められている。
【０００６】
アクリル製導光板とＬＥＤを一定の間隔に保つために、アルミ押し出し型材などを使って、導光板がＬＥＤに直接当たらないように、一定間隔で保持しながら、ＬＥＤエッジライトを挿入するものの、導光板の受け部とＬＥＤの間隔がある程度の距離が必要となり、光のロスが発生する。
【課題を解決するための手段】
【０００７】
ＬＥＤエッジライトのＬＥＤとＬＥＤの間にＬＥＤより高いスペーサーを設けて、外圧をスペーサーで受けることによりＬＥＤの破損を防止するもので、一定の高さのスペーサーを連続して配置することで、導光板の長い側面にも安定して対応が可能である。
【０００８】
ＬＥＤの高さは０．５ｍｍ程度であり、スペーサーの高さを１ｍｍとしても、エッジライト全体に複数で取り付けることで、ＬＥＤと導光板の間隔を０．５ｍｍまで近づけることが出来る。
【０００９】
アクリル製導光板の側面は直線であり、高さ１ｍｍ以上のスペーサーが適宜分散して配置されていることで、導光板とＬＥＤが直接接触する事は無く、ＬＥＤの破損を防ぐことが出来る。
【００１０】
エッジライトに使用するＬＥＤの幅は、通常１．５ｍｍ程度である、スペーサーの幅を２ｍｍ以上として、ＬＥＤより広くすることで、外圧からＬＥＤを保護してＬＥＤの破損を防止することが出来る。
【考案の効果】
【００１１】
ＬＥＤエッジライトと導光場の組み合わせは、エッジライトのＬＥＤが破損することで、導光板の厚さが、ある程度厚いことが要求されてきた、導光板とＬＥＤエッジライトが直接取り付けられることで、導光板の薄型化が実現して、薄くて軽い発光板が制作可能となる。
【００１２】
薄くて軽い発光板が制作可能となれば、軽量化とコストダウンが実現して、従来は高価な発光版であったが、低コスト化が進み新しい用途が発生するものと思われる。
【図面の簡単な説明】
【００１３】
【図１】図１はＬＥＤエッジライトの側面図
【図２】図２はＬＥＤエッジライトの平面図
【図３】図３はＬＥＤエッジライトと導光板の組み合わせによる正面図
【図４】図４はＬＥＤエッジライトと導光板の組み合わせによる断面図
【考案を実施するための形態】
【００１４】
導光板の正面を平均して発光させるためには、導光板の側面から均一な光を照射する必要がある、均一に照射するには均一な光を放出する細幅のエッジライトが必要で、尚且つ導光板の側面に均一で一定の間隔で取り付ける必要がある。スペーサー付きＬＥＤエッジライトはスペーサーの高さのみ間隔を空けて、導光板に取り付けられる。
【実施例１】
【００１５】
図１は、ＬＥＤエッジライトの側面図である、ＬＥＤの高さよりスペーサーの高さが若干高いことで、ＬＥＤの破損を防いでいる。
【００１６】
図２はＬＥＤエッジライトの平面図である、ＬＥＤとＬＥＤの間にスペーサーが配置されているので、一定間隔が保持されている。
図３は、導光板の正面図である、導光板の側面に配置されたエッジライトは、スペーサーで一定の間隔が保たれている。
【００１７】
図４は導光板とＬＥＤエッジライトの組み合わせの断面図である、導光板とＬＥＤの間隔は、スペーサーで一定に保たれているので、均一な発光面が保持される。
【産業上の利用可能性】
【００１８】
導光板とＬＥＤエッジライトがスペーサーを介してほぼ直接組み合わせられる、この事は小型化や軽量化が実現できるので、産業用としての活用範囲は広がってくる。
【符号の説明】
【００１９】
１  ＬＥＤ
２  スペーサー
３  プリント基板
４  導光板
５  反射板
６  光
【図１】
0003221484.tif 000003
【図２】
0003221484.tif 000004
【図３】
0003221484.tif 000005
【図４】
0003221484.tif 000006
(57)【要約】      （修正有）【課題】測定講習会では、受講者に測定作業が楽しく解り易く、そして学習したことを仕事で利用できるすりあわせ学習器を提供する。【解決手段】よこ、たて、厚さを有する長方形の六枚の板を正六角形につなげたリング形状の測定物２を設け、測定物２の任意の外面に測定物識別４を設け、前記リング形状の測定物識別４の付いていない外面のよこ寸法の中央部に、たて方向の上部と下部に四角形の高さが異なる突起物８を設け、突起物８の近くには突起物識別をつけた。【選択図】図１
0003221416.tif 000002
【実用新案登録請求の範囲】
【請求項１】
外径、内径、巾方向を有する六角形のリング状の測定物を３個以上設け、前記測定物の六角形の外側と内側は同芯で、かつ六角の位置は同じに設け、前記測定物には測定物の識別符号を設け、前記測定物の外側の面に、面の長さ寸法の中央位置の巾の両端に測定部位の突起物を設け、前記測定部位に識別記号を設けたことを特徴とする測定作業と組立作業のすり合わせ学習器。
【考案の詳細な説明】
【技術分野】
【０００１】  本考案は測定目的を理解し、測定作業と組み立て作業のすり合わせに関する。
【背景技術】
【０００２】  ミラミッドは、数百万個の石の測定作業とそのデータの活用を適正に行ったものは現存しており、不適正に実施したものは途中で工事を中断したり、一旦は完成しても後に倒壊した場合の写真があり、測定作業と関連する組立作業のすり合わせを適正に行う必要性を示している。【０００３】    本出願人の提案に係る測定目的を理解するための学習器（特許文献１）が公知であり、前記の学習器では、測定物の“すり合わせ”の手順に曖昧さがあり、楽しさを体感させるゲーム性が不足する欠点がある。
【先行技術文献】
【特許文献】
【０００４】
【特許文献１】実用新案登録  第３２１１４９８号公報
【０００５】
【非特許文献１】国際単位と品質規格  ４４ページ  三井清人  著  株式会社  ほるぷ出版
【考案の概要】
【考案が解決しようとしている課題】
【０００６】  本考案では、測定目的を理解させるためのすり合わせの道筋と、加えて楽しさが感じられるゲーム性のある教材の不足を解消しようとする課題がある。
【課題を解決するための手段】
【０００７】  外径、内径、巾方向を有する六角形のリング状の測定物２を３個以上設け、前記測定物２の六角形の外側と内側は同芯で、かつ六角の位置を同じ位置に設け、前記測定物２には測定物２を区別する識別符号４を設け、前記識別符号４が付いていない面の長さ寸法の中央部位置の巾の両端部に、突起物８を設け、図６フローチャートの順にノギス１を準備し、図５の要領で測定を行い測定値１０を求め、前記測定値１０をすり合わせ、測定物２を積み上げてゲーム感覚を提供することで課題を解決する。
【考案の効果】
【０００８】  本考案は、測定を正確に行いそのデータを適正にすり合わせると、仕事の目的を達成する手順が楽しく体感できることである。
【０００９】  本考案は、測定データのすり合わせが確実にできることで製造設備の弱点をカバーして製品の品質を向上することができる。
【図面の簡単な説明】
【００１０】
【図１】  測定物の正面図である。
【図２】  側面図である。
【図３】  上面図である。
【図４】  測定図ある。
【図５】  測定物を積み上げた状態図である
【図６】  フローチャートである。
【考案を実施するための形態】
【００１１】    本考案を実施する手順は、図４のように六角形の外側と突起物８の間の寸法を測定した測定値１０を利用して、測定物２をすり合わせて図５のように積み上げ、測定物２が積み上がった個数でゲームの得点とする。
【００１２】  本考案は、図５フローチャートの順番にノギス１の整備から始めて、表１六角リング測定記録様式に沿って測定を繰り返し５回行い、測定値１０を記録し、平均値と範囲、不確かさ、及び測定部位ＡとＢの段差を表１の要領で算出する。
【００１３】  測定物２は、六角形のリング状で薄肉であるから測定力で測定物２が変形するために測定誤差が起きやすく、許容できる測定誤差は計量管理の知見から品質規格と不確かさの比は１０対１〜４対１が適切であるから、それを満たすための測定実習の手順を行う。（参照  図５、表１）
【００１４】  突起物８の段差により測定物２を積み上げた場合に測定物２が傾き転倒することを防止するために測定物２の段差が小さくなるようにすり合わせを行う。
【００１５】  段差を小さくするためのすり合わせ方法は、段差の大きさのほぼ同じ測定物２を段差の差が小さくなるような向きにすり合わせ、積み上げる順番と向きは、段差の小さい順に積み上げ、向きは手前側と奥側を交互に配置する。
【００１６】  図５フローチャートの手順を実施することで、各作業の役割がわかり、測定作業とデータ処理の正しさの重要性が理解できる。
【符号の説明】
【００１７】１  ノギス
２  測定物
４  識別
６  測定部位の識別
８  突起物
１０  測定値【００１８】
【表１】
0003221416.tif 000003
【００１９】  標準偏差は、範囲に割引係数０．４３を掛けて効率的に求めて表１に示してある。【００２０】  六角形リングの積み上がった個数が多いことは、現存するピラミッドが示しているように測定作業と組立作業のすり合わせが適正であると判断できる。
【図１】
0003221416.tif 000004
【図２】
0003221416.tif 000005
【図３】
0003221416.tif 000006
【図４】
0003221416.tif 000007
【図５】
0003221416.tif 000008
【図６】
0003221416.tif 000009
【手続補正書】
【提出日】平成31年3月1日(2019.3.1)
【手続補正１】
【補正対象書類名】実用新案登録請求の範囲
【補正対象項目名】全文
【補正方法】変更
【補正の内容】
【実用新案登録請求の範囲】
【請求項１】
よこ、たて、厚さを有する長方形の六枚の板を正六角形につなげたリング形状の測定物を設け、前記測定物の任意の外面に測定物識別をに設け、前記リング形状の測定物識別の付いていない外面のよこ寸法の中央部に、たて方向の上部と下部に四角形の高さが異なる突起物を設け、前記突起物の近くには突起物識別をつけたことを特徴とする測定作業と組立作業のすり合わせ学習器。